(57)【要約】【課題】表示パネルからの放熱効率を向上させて、表示パネルの温度を低減させることを可能とする画像表示装置を提供する。【解決手段】画像表示装置１０Ａは、画像を表示する前面１ａ及びこの前面１ａと反対側を向く背面１ｂを有する表示パネル１と、表示パネル１を支持し、画像データに基づいた電気信号を表示パネル１に与える回路構成部品３が取り付けられたシャーシ２とを備えている。シャーシ２は、表示パネル１を当該表示パネル１の厚み方向と直交する方向の周囲から取り囲み、表示パネル１の背面１ｂを露出させる枠状の形状を有している。これにより、ＰＤＰ１の背面１ｂから空気に直接的に放熱することができる。【選択図】図１
2010039408.tif 000002
【特許請求の範囲】
【請求項１】
画像を表示する前面及びこの前面と反対側を向く背面を有する表示パネルと、
前記表示パネルを支持し、画像データに基づいた電気信号を前記表示パネルに与える回路構成部品が取り付けられたシャーシと、を備え、
前記シャーシは、前記表示パネルを当該表示パネルの厚み方向と直交する方向の周囲から取り囲み、前記表示パネルの背面を露出させる枠状の形状を有している、画像表示装置。
【請求項２】
前記回路構成部品は、複数設けられており、各回路構成部品は、前記表示パネルの背面と離間した状態で対向している、請求項１に記載の画像表示装置。
【請求項３】
前記シャーシは、前記表示パネルの厚み方向において前記表示パネルの背面よりも背面側に位置する後端面を有しており、この後端面に前記回路構成部品が取り付けられている、請求項２に記載の画像表示装置。
【請求項４】
前記回路構成部品のうち相対的に温度が高くなる回路構成部品と前記表示パネルの背面との間に強制的に空気を流すためのファンをさらに備える、請求項２または３に記載の画像表示装置。
【請求項５】
前記ファンは、前記回路構成部品のうち相対的に温度が高くなる回路構成部品の近傍に配置されている、請求項４に記載の画像表示装置。
【請求項６】
前記表示パネルの背面は、粗面化されている、請求項２〜５のいずれか一項に記載の画像表示装置。
【請求項７】
前記表示パネルの背面には、当該表示パネルよりも熱伝導率の高い膜が積層されている、請求項２〜５のいずれか一項に記載の画像表示装置。
【請求項８】
前記表示パネルの背面には、鏡面を形成する金属膜が積層されている、請求項２〜５のいずれか一項に記載の画像表示装置。
【請求項９】
前記回路構成部品を前記表示パネルの背面側から覆うバックカバーをさらに備え、
前記表示パネルの背面は、前記バックカバーで囲まれるカバー空間内に開放されている、請求項１〜８のいずれか一項に記載の画像表示装置。
【請求項１０】
前記バックカバーには、前記カバー空間に空気を取り入れるための吸気口と、前記カバー空間から空気を排出するための排気口とが設けられている、請求項９に記載の画像表示装置。
【請求項１１】
前記表示パネルの前面側に配置された前面フィルタと、前記前面フィルタの周縁部を前記表示パネルの前面側から覆うフロントカバーと、をさらに備える、請求項１〜１０のいずれか一項に記載の画像表示装置。
【請求項１２】
前記表示パネルは、プラズマディスプレイパネルである、請求項１〜１１のいずれか一項に記載の画像表示装置。
【発明の詳細な説明】
【技術分野】
【０００１】
本発明は、テレビ映像等の画像を表示する画像表示装置に関するものである。
【背景技術】
【０００２】
近年、テレビ映像等の画像を表示する画像表示装置の薄型化が進み、画像表示装置においては、従来のＣＲＴに代わって、プラズマディスプレイパネルまたは液晶パネルなどの平板型の表示パネルを用いたフラットパネルディスプレイ（ＦＰＤ）が主流となっている。
【０００３】
例えば図１１および図１２に、従来のプラズマディスプレイを示す。このプラズマディスプレイでは、前面フィルタ１５が接合されたフロントカバー１６とバックカバー１４とで囲まれる空間内に、画像を表示するプラズマディスプレイパネル（以下、「ＰＤＰ」という。）１１と、これを前面側に支持するシャーシ１２とが納められている。また、シャーシ１２の背面側には、電源用の回路基板１３ａ、左右一対のＰＤＰ駆動用の回路基板１３ｂ、横１列に配列された複数のデータドライバ１３ｃ、およびデータドライバ１３ｃのさらに裏側に配置されたチューナーブロック１３ｄが固定されている。なお、回路基板１３ａ，１３ｂ、データドライバ１３ｃ、およびチューナーブロック１３ｄとシャーシ１２の背面との間には、シャーシ１２に突設されたボス等によって隙間が確保されている。
【０００４】
シャーシ１２は、ＰＤＰ１１を支持するだけでなく、ＰＤＰ１１の放熱および均熱化を図るとともに電気的グラウンドとしての役割を果たすものであり、一般に熱伝導性および電気伝導性の良好なアルミニウムで構成される。
【０００５】
さらに、プラズマディスプレイ内の上部には、装置全体を冷やすためにファン１８が設置されている。そして、ファン１８の稼働により、バックカバー１４の下部に設けられた吸気口１４ａから外気が吸い込まれるとともに、バックカバー１４の上部に設けられた排気口１４ｂからディスプレイ内の熱い空気が排出されて、換気が行われる。これにより、装置全体が冷却される。
【０００６】
プラズマディスプレイでは、ＰＤＰ１１内のガス放電を利用して画像を表示するという動作原理のためにＰＤＰ１１は高温になりやすいが、ＰＤＰ１１が高温になるとＰＤＰ１１内部に形成されている電極の電気容量が変化して正常な放電が行われなくなるなどの弊害が生じる。このため、ＰＤＰ１１を所定の温度（一例として、７０〜８０℃）以下に保つことが好ましい。
【０００７】
ところが、従来のプラズマディスプレイにおいては、ＰＤＰ１１の輝度を上げるためにＰＤＰ１１に投入する電力を引き上げていること、あるいはＰＤＰ１１に密接して設置されているデータドライバ１３ｃの消費電力が大きいこと等がＰＤＰ１１の温度低減を困難にしている。
【０００８】
これに対し、例えば特許文献１では、図１１に示すように、ＰＤＰ１１とシャーシ１２との間に、熱伝導率の高い樹脂からなる熱伝導シート１９を挟むことで、ＰＤＰ１１で発生する熱を熱伝導シート１９を通じてシャーシ１２に効果的に伝えることが提案されている。これにより、シャーシ１２とバックカバー１４とで囲まれる空間内への放熱が良好に行われ、ＰＤＰ１１の温度を低下させることができる。また、熱伝導シート１９によりＰＤＰ１１の均熱化を図ることができるため、ＰＤＰ１１内の温度差も小さくすることができる。
【特許文献１】特開２００２−１５０９５４号公報
【発明の開示】
【発明が解決しようとする課題】
【０００９】
しかしながら、特許文献１のようにしても、ＰＤＰ１１で発生する熱をシャーシ１２からバックカバー１４で囲まれる空間内へ放熱させることに変わりはない。シャーシ１２は、ＰＤＰ１１を支持するものであるため、機械的強度の確保の必要性からその厚みは比較的に厚い。そのため、シャーシ１２から放熱させた場合は、シャーシ１２を介する分、すなわち熱がシャーシ１２内を伝わる分、放熱効率が悪くなる。このような課題は、ＰＤＰ以外の表示パネルでも同様に起こりうる。
【００１０】
本発明は、このような事情に鑑み、表示パネルからの放熱効率を向上させて、表示パネルの温度を低減させることを可能とする画像表示装置を提供することを目的とする。
【課題を解決するための手段】
【００１１】
前記目的を達成するために、本発明は、画像を表示する前面及びこの前面と反対側を向く背面を有する表示パネルと、前記表示パネルを支持し、画像データに基づいた電気信号を前記表示パネルに与える回路構成部品が取り付けられたシャーシと、を備え、前記シャーシは、前記表示パネルを当該表示パネルの厚み方向と直交する方向の周囲から取り囲み、前記表示パネルの背面を露出させる枠状の形状を有している、画像表示装置を提供する。
【発明の効果】
【００１２】
本発明によれば、シャーシを枠状にするという簡単な構成で、表示パネルの背面を大きく露出させることができる。これにより、表示パネルの背面から空気に直接的に放熱することができ、放熱効率を向上させることができる。従って、表示パネルの温度を効率的に低減させることが可能になる。
【発明を実施するための最良の形態】
【００１３】
以下、本発明を実施するための最良の形態について、図面を参照しながら説明する。なお、以下の説明は本発明の一例に関するものであり、本発明はこれらによって限定されるものではない。
【００１４】
＜第１実施形態＞
図１および図２に、本発明の第１実施形態に係る画像表示装置１０Ａを示す。この画像表示装置１０Ａは、プラズマディスプレイであり、画像を表示する前面１ａおよびこの前面１ａと反対側を向く背面１ｂを有するＰＤＰ（表示パネル）１を備えている。さらに、画像表示装置１０Ａは、ＰＤＰ１を支持するシャーシ２と、シャーシ２に取り付けられた複数の回路構成部品３と、回路構成部品３をＰＤＰ１の背面側から覆うバックカバー４と、ＰＤＰ１の前面側に配置された前面フィルタ５と、前面フィルタ５の周縁部をＰＤＰ１の前面側から覆うフロントカバー６とを備えている。
【００１５】
ＰＤＰ１は、長方形状の形状を有しており、一般に、長手方向が水平方向になり、かつ、短手方向が鉛直方向になる姿勢で配置される。なお、本明細書では、説明の便宜のために、ＰＤＰ１の厚み方向のうち前面１ａ側を前方、背面１ｂ側を後方というとともに、長手方向の一方（図２では左下側）を右方、他方（図２では右上側）を左方という。
【００１６】
具体的に、ＰＤＰ１は、図示は省略するが、前面ガラス基板と背面ガラス基板とが貼り合わされて構成されている。そして、前面ガラス基板の背面ガラス基板と反対側の面によって前面１ａが構成され、背面ガラス基板の前面ガラス基板と反対側の面によって背面１ｂが構成されている。
【００１７】
前面ガラス基板には、横方向（ＰＤＰ１の長手方向）に延びる走査電極と維持電極とからなる表示電極対が多数形成されている。背面ガラス基板には、縦方向（ＰＤＰ１の短手方向）に延びるアドレス電極が多数形成されている。表示電極対は、誘電体層で覆われており、誘電体層は、ＭｇＯ等で形成された保護層で覆われている。また、各アドレス電極上には、赤、青、緑のいずれかの蛍光体が塗布されている。前面ガラス基板および背面ガラス基板はそれぞれおよそ１．５ｍｍ〜３ｍｍの厚さである。
【００１８】
前方から見て表示電極対とアドレス電極とが交わる位置における、表示電極対とアドレス電極とに挟まれた部分（空間）を放電セルという。放電セルにはヘリウム（Ｈｅ）、ネオン（Ｎｅ）、キセノン（Ｘｅ）等の希ガスを含む放電ガスが封入されている。そして、表示電極対およびアドレス電極に電圧を印加して放電セルに放電を起こし、紫外線を発生させると、発生した紫外線で蛍光体が刺激されて蛍光体が発光し、これにより画像が表示される。
【００１９】
具体的には、まず、走査電極の全ラインに電圧を印加して全部の放電セルで放電を起こす初期化放電を行う。次に、走査電極に順次電圧を印加するとともに、電圧が印加された走査電極上で発光させたい放電セルを横切るアドレス電極にも電圧を印加する。これをアドレス放電といい、電圧が印加された走査電極とアドレス電極とが交わる位置の放電セルが発光し、該放電セルが発光セルとして選択される。その後、走査電極と維持電極との間に交流電圧を印加する維持放電を行う。維持放電により、先程選択された発光セルのみが発光し、ＰＤＰ１は画像を表示する。
【００２０】
ＰＤＰ１は、放電セルの内部で放電を発生させて画像を表示する際、ＰＤＰ１自体が高温になりやすい。ＰＤＰ１が高温になると、放電特性が変化して、発光すべき放電セルが発光しない、または発光すべきでない放電セルが発光する等の誤放電が発生しやすくなり、画像表示品質を低下させる問題が生じる。また、ＰＤＰ１が高温になると、前面ガラス基板または背面ガラス基板の割れといった問題が生じる。従って、ＰＤＰ１で発生する熱を効率よく逃がし、ＰＤＰ１を低い温度、例えば７０〜８０℃に抑えることが重要である。
【００２１】
シャーシ２は、ＰＤＰ１を当該ＰＤＰ１の厚み方向と直交する方向の周囲から取り囲み、ＰＤＰ１の背面１ｂを露出させる枠状の形状を有している。すなわち、ＰＤＰ１は、図３に示すように、シャーシ２の内部に嵌め込まれていて、外周面を形成する端面１ｃ〜１ｅ（図２参照）をシャーシ２によって支持されている。シャーシ２は、熱伝導率および電気伝導率の高いアルミニウム、銅等の金属で構成されていることが好ましいが、ＰＤＰ１の消費電力によっては、鉄またはステンレススチール等で構成されていてもかまわない。また、異種の金属を組み合わせた構造となっていてもよい。
【００２２】
具体的に、シャーシ２は、ＰＤＰ１の上側を向く端面１ｃおよび下側を向く端面１ｄに接触しながら左右方向に延びる上辺部２１および下辺部２２と、ＰＤＰ１の左側または右側を向く一対の端面１ｅに接触しながら上下方向に延びる一対の側辺部２３とを有している。本実施形態では、各辺部２１〜２３の断面形状は矩形状になっているが、例えば図４に示すように、ＰＤＰ１の背面１ｂに当接する突出部２５を有するような形状になっていてもよい。
【００２３】
シャーシ２の前後方向の厚みは、ＰＤＰ１の厚みよりも十分に大きく設定されている。本実施形態では、ＰＤＰ１は、シャーシ２の前後方向の略中央に配置されている。このため、シャーシ２の前端面２ｂは、ＰＤＰ１の前面１ａよりも前方に位置しており、シャーシ２の後端面２ａはＰＤＰ１の背面１ｂよりも後方に位置している。そして、ＰＤＰ１は、シャーシ２の内周面２ｃに接着剤等によって固定されている。
【００２４】
回路構成部品３は、画像データに基づいた電気信号をＰＤＰ１に与えるものであり、本実施形態では、ＰＤＰ駆動用の回路基板３１と、データドライバ３２とを含んでいる。ＰＤＰ駆動用の回路基板３１とデータドライバ３２とは電気的に接続されている。なお、本実施形態では、回路基板３１のうち右上の回路基板３１ａが電源部品を含んでいる。
【００２５】
回路基板３１およびデータドライバ３２は、いずれも板状をなしており、シャーシ２の後端面２ａに面接触した状態で取り付けられている。これにより、各回路構成部品３は、ＰＤＰ１の背面１ｂと離間した状態で対向している。具体的に、回路基板３１は、シャーシ２の側辺部２３および上辺部２１に固定され、データドライバ３２は、シャーシ２の下辺部２２に固定されている。なお、上辺部２１に固定される回路基板３１には、回路基板３１とＰＤＰ１との間に熱が滞留しないようにするために、開口または切り欠きが形成されていてもよい。
【００２６】
バックカバー４は、前方に開口する容器状の形状をなし、回路構成部品３を後方から包み込むようにしてシャーシ２に外側から固定されている。そして、ＰＤＰ１の背面１ｂは、バックカバー４で囲まれるカバー空間４０内に開放されている。具体的に、バックカバー４は、略矩形の底壁部４１と、底壁部４１の周縁部から立ち上がる側壁部４２とを有している。そして、側壁部４１の先端部がシャーシ２に外側から嵌合し、さらにその外側にフロントカバー６が嵌合している。なお、本実施形態では、底壁部４１の左右両側の下部が側壁部４２と共に切り欠かれている。
【００２７】
バックカバー４は、導電性を有し、ＰＤＰ１および回路構成部品３から放射される電磁波を遮蔽する。バックカバー４は、金属板をプレス成形することにより形成されたものであってもよいし、樹脂成形品の内側に導電層を形成したものであってもよい。
【００２８】
さらに、バックカバー４には、カバー空間４０内に空気を取り入れるための吸気口４３と、カバー空間４０から空気を排出するための排気口４４とが設けられており、バックカバー４の外部と内部とで空気の入れ替えが可能となっている。本実施形態では、吸気口４３は、底壁部４１の下部と側壁部４２の下部の２箇所に設けられており、排気口４４は、底壁部４１の上部と側壁部４２の上部の２箇所に設けられている。
【００２９】
フロントカバー６は、例えば樹脂などで形成されている。フロントカバー６は、前方から見て中央部が開口した矩形状の枠体である。そして、フロントカバー６には、前面フィルタ５の周縁部が後方から接合されている。
【００３０】
前面フィルタ５の大きさは、ＰＤＰ１の大きさよりも一回り大きく設定されている。そして、前面フィルタ５の周縁部は、矩形枠状に配置された導電性のクッション７を挟んでシャーシ２の前端面２ｂに押し当てられている。前面フィルタ５は、ガラスまたはアクリルなどの樹脂で構成された矩形状の透明基板と、透明基板上に形成された種々の機能フィルムとを有する。具体的には、機能フィルムは、反射防止フィルム、着色フィルム、ネオンカットフィルム、近赤外カットフィルム、導電性フィルム等である。導電性フィルムの少なくとも周縁部は後方に露出しており、この周縁部がクッション７を介してシャーシ２に電気的に接続されている。
【００３１】
次に、図１を参照して、画像表示装置１０Ａからの放熱について説明する。
【００３２】
ＰＤＰ１の背面１ｂは露出しているので、この背面１ｂに接する空気がＰＤＰ１から熱を受けて熱膨張し、図１中に矢印で示すようにカバー空間４０内に上昇気流が発生する。カバー空間４０内を上昇した空気は、最終的には排気口４４から外部に排出され、これにより装置外へ熱を逃がすことができる。逆に、吸気口４３からは、外部の比較的に温度の低い空気が吸い込まれる。このため、煙突効果等を考慮して吸気口４３および排気口４４の位置を決めれば、自然対流により効率的に廃熱することが可能になる。さらに、例えば排気口４４の近傍に空気の流れを促進させるファン（図示せず）を設ければ、さらに効率的な廃熱を実現できることはいうまでもない。
【００３３】
以上説明したように、本実施形態の画像表示装置１０Ａでは、シャーシ２を枠状にするという簡単な構成で、ＰＤＰ１の背面１ｂを大きく露出させることができる。これにより、ＰＤＰ１の背面１ｂから空気に直接的に放熱することができ、放熱効率を向上させることができる。従って、ＰＤＰ１の温度を効率的に低減させることが可能になる。
【００３４】
また、シャーシ２をＰＤＰ１の周囲の外側に配置することにより、シャーシ２の厚み範囲内にＰＤＰ１を配置することができ、画像表示装置１０Ａのよりいっそうの薄型化を実現することができる。しかも、本実施形態のように、シャーシ２を利用して前面フィルタとバックカバーとを電気的に接続するようにすれば、簡単な構成で電磁波遮蔽構造を形成することもできる。
【００３５】
さらに、シャーシ２の厚みを従来よりも厚くすることができるため、シャーシ２の断面係数を向上させてＰＤＰ１の支持強度（曲げ、捩れに対する剛性）を高く保つことができる。
【００３６】
さらには、ＰＤＰ１で発生した熱を、背面１ｂ側だけでなく、シャーシ２を介してＰＤＰ１の厚み方向と直交する方向にも効果的に放熱させることができる。
【００３７】
ここで、ＰＤＰ１の背面１ｂには、空気に対する熱伝導率を高めるための表面処理が施されていることが好ましい。例えば、ＰＤＰ１の背面１ｂをブラストで粗面化したり、ＰＤＰ１の背面１ｂにＰＤＰ１（正確には背面ガラス基板）よりも熱伝導率の高い膜を積層したりする。熱伝導率の高い膜を形成する場合は、例えば、グラファイト（熱伝導率：〜８００Ｗ／ｍ・Ｋ）、シリコーン系混合塗料（熱伝導率：〜２００Ｗ／ｍ・Ｋ）等の樹脂を用い、この樹脂をＰＤＰ１の背面１ｂに塗布すればよい。このようにすれば、空気への熱の伝達率を向上させることができ、ＰＤＰ１の温度をより低減させることができる。さらに、背面１ｂにＰＤＰ１よりも熱伝導率の高い膜が積層されていれば、この膜により背面１ｂの温度の均一化（いわゆる均熱化）が図られ、画像品質の劣化を抑制することができる。
【００３８】
あるいは、ＰＤＰ１の背面１ｂには、回路構成部品３からの熱を反射するための表面処理が施されていることが好ましい。具体的には、背面１ｂに、鏡面を形成する（表面が鏡面とされた）金属膜を積層する。ここで、鏡面とは、輻射率が例えば０．１以下となる程度の鏡面であることが好ましい。この鏡面を有する金属膜の形成は、例えば、金属材料の蒸着、塗布、めっきなどにより行うことができる。金属材料としては、例えば、アルミニウム、ニッケル、金等を用いることができる。また、鏡面を有する膜としてダイヤモンドライクカーボン膜を用いてもよい。このようにすれば、回路構成部品３からの輻射によるＰＤＰ１の局所的な温度上昇を抑えることができる。さらに、金属膜およびダイヤモンドライクカーボン膜の熱伝導率は、ＰＤＰ１の熱伝導率よりも高いため、当該金属膜またはダイヤモンドライクカーボン膜により背面１ｂの均熱化を図ることができる。
【００３９】
＜第２実施形態＞
図５および図６に、本発明の第２実施形態に係る画像表示装置１０Ｂを示す。なお、本第２実施形態および後述する第３実施形態においては、第１実施形態と同一構成部分には同一符号を付して、その説明を省略する。
【００４０】
第２実施形態の画像表示装置１０Ｂが第１実施形態の画像表示装置１０Ａと異なる点は、電源用の回路基板を兼ねるＰＤＰ駆動用の回路基板３１ａの近傍に、ファン８が配置されている点である。
【００４１】
具体的には、ファン８は、左右に並んで２個、下から上に空気を流す姿勢で設けられており、これらのファン８は、ブラケット８０によってシャーシ２の上辺部２１に取り付けられている。
【００４２】
回路基板３１ａは、回路構成部品３のうち相対的に温度が高くなるものであり、ＰＤＰ１の背面１ｂのうち回路基板３１ａに対向する部分は、回路基板３１ａからの輻射によって局所的に温度が高くなる。第２実施形態の画像表示装置１０Ｂは、回路基板３１ａの近傍にファン３１ａを配置することで、その高温部分を積極的に冷却するようにしたものである。すなわち、ファン８が稼働すると、回路基板３１ａとＰＤＰ１の背面１ｂとの間の空気がファン８に吸い込まれる。換言すれば、回路基板３１ａとＰＤＰ１の背面１ｂとの間に空気が強制的に流される。
【００４３】
このようにすれば、相対的に温度が高くなる回路基板３１ａからの輻射の影響を小さくして、ＰＤＰ１の温度分布を均一化することができる。
【００４４】
＜第３実施形態＞
図７および図８（ａ）に、本発明の第３実施形態に係る画像表示装置１０Ｃを示す。この画像表示装置１０Ｃは、第２実施形態の画像表示装置１０Ｂからファン８の向きを変えただけのものである。
【００４５】
すなわち、第３実施形態では、ファン８が後方から前方に風を流す姿勢で配置されている。このようにするには、例えば図８（ｂ）に示すように、ブラケット８０を断面略Ｌ字状にすればよい。
【００４６】
第３実施形態では、第２実施形態とは逆に、ファン８が駆動すると、回路基板３１ａとＰＤＰ１の背面１ｂとの間の空気が押し出される。すなわち、ファン８によって、回路基板３１ａとＰＤＰ１の背面１ｂとの間に空気が強制的に流される。
【００４７】
このようにしても、第２実施形態と同様の効果が得られる。
【００４８】
＜変形例＞
前記各実施形態では、ＰＤＰ１がシャーシ２の前後方向の略中央に配置されているが、ＰＤＰ１は、例えば背面１ｂがシャーシ２の後端面２ａと同一平面上に位置するように配置されていてもよい。この場合、後端面２ａと回路構成部品３との間にスペーサを介在させれば、回路構成部品３を背面１ｂと離間した状態で対向させることができる。ただし、前記各実施形態のように、ＰＤＰ１の背面１ｂをシャーシ２の後端面２ａよりも前方に位置させれば、回路構成部品３をシャーシ２の後端面２ａに直に取り付けることができる。
【００４９】
また、前記各実施形態では、シャーシ２がバックカバー４内に嵌め込まれているが、例えば図９に示すように、シャーシ２をフロントカバー６とバックカバー４との間から外部に露出させて、シャーシ２から外部に直接放熱させるようにしてもよい。このようにすれば、放熱効率をさらに向上させることができる。
【００５０】
さらに、シャーシ２の内部には、例えば図１０（ａ）および（ｂ）に示すように、複数の導電性の縦桟９１および横桟９２が設けられていてもよい。縦桟９１は、シャーシ２の互いに対向する上辺部２１と下辺部２２とにＰＤＰ１の背面１ｂに沿って跨るものであり、横桟９２は、シャーシ２の互いに対向する一対の側辺部２３にＰＤＰ１の背面１ｂに沿って跨るものである。これらの桟９１，９２は、シャーシ２に一体に設けられていてもよいし、別部材で構成されていてもよい。このようにすれば、ＰＤＰ１の背面側にリターン電流の経路を確保することができる。あるいは、桟９１，９２を利用して回路構成部品３の固定点数を増やすことも可能である。
【００５１】
また、回路構成部品３は、複数設けられている必要はなく、１つの回路基板で構成されていてもよい。
【００５２】
また、前面フィルタ５を設けず、反射防止フィルム、着色フィルム、ネオンカットフィルム、近赤外カットフィルム、導電性フィルム等の機能フィルムが前面ガラス基板の前面に形成されたものでもよい。
【００５３】
また、本発明は、プラズディスプレイだけでなく、液晶ディスプレイ、または有機もしくは無機ＥＬ等の他の画像表示装置にも適用可能である。すなわち、本発明の表示パネルは、液晶パネルまたはＥＬパネル等であってもよい。
【００５４】
＜実施形態の特徴＞
実施形態の特徴を以下に列挙する。なお、実施形態の特徴は以下に限定されるものではない。
【００５５】
（１）
本実施形態における画像表示装置は、
画像を表示する前面及びこの前面と反対側を向く背面を有する表示パネルと、
前記表示パネルを支持し、画像データに基づいた電気信号を前記表示パネルに与える回路構成部品が取り付けられたシャーシと、を備え、
前記シャーシは、前記表示パネルを当該表示パネルの厚み方向と直交する方向の周囲から取り囲み、前記表示パネルの背面を露出させる枠状の形状を有している。
【００５６】
（２）
前記回路構成部品は、複数設けられており、各回路構成部品は、前記表示パネルの背面と離間した状態で対向している。
【００５７】
（３）
前記シャーシは、前記表示パネルの厚み方向において前記表示パネルの背面よりも背面側に位置する後端面を有しており、この後端面に前記回路構成部品が取り付けられている。
【００５８】
（４）
画像表示装置は、前記回路構成部品のうち相対的に温度が高くなる回路構成部品と前記表示パネルの背面との間に強制的に空気を流すためのファンをさらに備える。
【００５９】
（５）
前記ファンは、前記回路構成部品のうち相対的に温度が高くなる回路構成部品の近傍に配置されている。
【００６０】
（６）
前記表示パネルの背面は、粗面化されている。
【００６１】
（７）
前記表示パネルの背面には、当該表示パネルよりも熱伝導率の高い膜が積層されている。
【００６２】
（８）
前記表示パネルの背面には、鏡面を形成する金属膜が積層されている。
【００６３】
（９）
前記回路構成部品を前記表示パネルの背面側から覆うバックカバーをさらに備え、
前記表示パネルの背面は、前記バックカバーで囲まれるカバー空間内に開放されている。
【００６４】
（１０）
前記バックカバーには、前記カバー空間に空気を取り入れるための吸気口と、前記カバー空間から空気を排出するための排気口とが設けられている。
【００６５】
（１１）
画像表示装置は、前記表示パネルの前面側に配置された前面フィルタと、前記前面フィルタの周縁部を前記表示パネルの前面側から覆うフロントカバーと、をさらに備える。
【００６６】
（１２）
前記表示パネルは、プラズマディスプレイパネルである。
【産業上の利用可能性】
【００６７】
以上のように、本発明に係る画像表示装置は、表示パネルの温度低減に効果があり、特に自発光の表示パネルであるＰＤＰを用いたプラズマディスプレイあるいはＥＬパネルを用いたディスプレイに有用である。
【図面の簡単な説明】
【００６８】
【図１】本発明の第１実施形態に係る画像表示装置を示す概略的な縦断面図である。
【図２】図１に示した画像表示装置の分解斜視図である。
【図３】シャーシの内部にＰＤＰが嵌め込まれた状態を示す斜視図である。
【図４】変形例のシャーシを示す断面図である。
【図５】本発明の第２実施形態に係る画像表示装置を示す概略的な縦断面図である。
【図６】図５に示した画像表示装置の分解斜視図である。
【図７】本発明の第３実施形態に係る画像表示装置を示す概略的な縦断面図である。
【図８】（ａ）は図７に示した画像表示装置の分解斜視図、（ｂ）はファンおよびブラケットの拡大斜視図である。
【図９】変形例の画像表示装置を示す断面図である。
【図１０】（ａ）はシャーシの内部に桟を設けたときのシャーシおよびＰＤＰの背面図、（ｂ）はそれらの断面図である。
【図１１】従来のプラズマディスプレイを示す概略的な縦断面図である。
【図１２】バックカバーを省略した従来のプラズマディスプレイの背面図である。
【符号の説明】
【００６９】
１    ＰＤＰ（表示パネル）
１ａ  前面
１ｂ  背面
２    シャーシ
２ａ  後端面
３    回路構成部品
３１  回路基板
３２  データドライバ
４    バックカバー
４０  カバー空間
４３  吸気口
４４  排気口
５    前面フィルタ
６    フロントカバー
８    ファン
１０Ａ〜１０Ｂ  画像表示装置
【図１】
2010039408.tif 000003
【図２】
2010039408.tif 000004
【図３】
2010039408.tif 000005
【図４】
2010039408.tif 000006
【図５】
2010039408.tif 000007
【図６】
2010039408.tif 000008
【図７】
2010039408.tif 000009
【図８】
2010039408.tif 000010
【図９】
2010039408.tif 000011
【図１０】
2010039408.tif 000012
【図１１】
2010039408.tif 000013
【図１２】
2010039408.tif 000014